(57)【要約】【課題】  本発明は、音声信号処理装置及び音声信号処理方法に関し、例えばカメラ一体型ビデオテープレコーダに適用して、ステレオ方式によるマイクロホンを複数本用いてサラウンド方式により録音する場合にあっても、臨場感の高い音場を正しく作成することができるようにする。【解決手段】  本発明は、複数の音声信号入力端子３２Ｆ、３２Ｒより入力される音声信号のチャンネルの設定を検出し、この検出結果により右チャンネルと左チャンネルとを入れ換えて信号処理する。【選択図】        図１
2006287824.tif 000002
【特許請求の範囲】
【請求項１】
ステレオ方式による音声信号をそれぞれ入力する複数の音声信号入力端子と、
前記複数の音声信号入力端子より入力される音声信号について、右チャンネルと左チャンネルとの設定を検出する設定検出手段と、
前記複数の音声信号入力端子より入力される音声信号を信号処理する信号処理手段とを備え、
前記信号処理手段は、
前記設定検出手段の検出結果に基づいて、前記複数の音声信号入力端子の少なくとも１つより入力される音声信号の右チャンネルと左チャンネルとを入れ換えて信号処理する
ことを特徴とする音声信号処理装置。
【請求項２】
前記複数の音声信号入力端子より入力される音声信号によるサラウンド方式を検出する方式検出手段を有し、
前記信号処理手段は、
前記複数の音声信号入力端子より入力される音声信号を記録媒体に記録する記録手段を有し、
前記方式検出手段による検出結果に基づいて、前記記録媒体に、前記音声信号によるサラウンド方式を記録する
ことを特徴とする請求項１に記載の音声信号処理装置。
【請求項３】
前記信号処理手段は、
前記複数の音声信号入力端子より入力される音声信号を演算処理して複数チャンネルの音声信号により前記記録媒体に記録し、
前記演算処理の切り換えにより、前記音声信号の右チャンネルと左チャンネルとを入れ換える
ことを特徴とする請求項２に記載の音声信号処理装置。
【請求項４】
ステレオ方式による音声信号を複数の音声信号入力端子よりそれぞれ入力して信号処理する音声信号処理方法において、
前記複数の音声信号入力端子より入力される音声信号について、右チャンネルと左チャンネルとの設定を検出し、該検出結果に基づいて、前記複数の音声信号入力端子の少なくとも１つより入力される音声信号の右チャンネルと左チャンネルとを入れ換えて信号処理する
ことを特徴とする音声信号処理方法。
【発明の詳細な説明】
【技術分野】
【０００１】
本発明は、音声信号処理装置及び音声信号処理方法に関し、例えばカメラ一体型ビデオテープレコーダに適用することができる。本発明は、複数の音声信号入力端子より入力される音声信号のチャンネルの設定を検出し、この検出結果により右チャンネルと左チャンネルとを入れ換えて信号処理することにより、ステレオ方式によるマイクロホンを複数本用いてサラウンド方式により録音する場合にあっても、臨場感の高い音場を正しく作成することができるようにする。
【背景技術】
【０００２】
従来、カメラ一体型ビデオテープレコーダは、内蔵のマイクロホンでステレオ方式による２チャンネルの音声信号を取得し、この２チャンネルの音声信号を撮像結果と共に磁気テープに記録するように構成されている。このようなカメラ一体型ビデオテープレコーダに関して、例えば実開平５−１１６５０号公報には、磁気テープから再生される音声信号と内蔵のマイクロホンで取得される音声信号とをミキシングして出力することにより、簡易にナレーション等の処理を実行可能とする方法が提案されている。
【０００３】
このようなカメラ一体型ビデオテープレコーダでは、音声信号を４チャンネルにより記録できるものがあり、このようなカメラ一体型ビデオテープレコーダでは、ステレオ方式によるマイクロホンを複数本接続してサラウンド方式の音声信号を録音することができる。
【０００４】
すなわちこのようなサラウンド方式による録音では、図１２に示すように、ステレオ方式によるメインのマイクロホン２Ｍと、このメインのマイクロホン２Ｍとは指向性の異なるステレオ方式によるサブのマイクロホン２Ｓとにより前方の音声を取得し、これらメイン及びサブのマイクロホン２Ｍ及び２Ｓによる４チャンネルの音声信号を記録する。以下、このように前方の音声のみによるサラウンド方式を、適宜、前方のみによるサラウンド方式と呼ぶ。
【０００５】
このためこの種のカメラ一体型ビデオテープレコーダ１では、これらメイン及びサブのマイクロホン２Ｍ及び２Ｓをそれぞれ接続可能に、メイン及びサブの音声入力端子がそれぞれ設けられ、これらの音声入力端子を介してこれらメイン及びサブのマイクロホン２Ｍ及び２Ｓから出力されるステレオ方式による音声信号を入力するように形成されている。
【０００６】
またこのようなサラウンド方式による録音においては、前方のみからの音声の取得に代えて、前方及び後方より音声を取得する場合もある。以下、適宜、前方及び後方によるサラウンド方式と呼ぶ。
【０００７】
このためこの種のカメラ一体型ビデオテープレコーダには、図１２の対比により図１３に示すように、前方右チャンネル用のマイクロホンＦＲ、前方左チャンネル用のマイクロホンＦＬ、後方右チャンネル用のマイクロホンＲＲ、後方左チャンネル用のマイクロホンＲＬを一体化したサラウンド方式のマイクロホン２が提供され、このマイクロホン２を用いることにより、前方及び後方のサラウンド方式による４チャンネルの音声信号を記録できるように形成されている。
【０００８】
これに対して記録媒体にＤＶＤ（Digital Versatile Disk）による光ディスクを用いた携帯型のビデオレコーダでは、このようにして取得されるサラウンド方式による音声信号を信号処理して、５．１チャンネルのサラウンド方式により音声信号を記録するものが提供されている。
【０００９】
ところで前方及び後方によるサラウンド方式による録音でも、図１２及び図１３との対比により図１４に示すように、ステレオ方式による２本のマイクロホン２Ｆ及び２Ｒを用いてそれぞれ前方及び後方の音声を取得する場合もある。
【００１０】
この場合、図１２について上述した前方のみによるサラウンド方式の場合に比して、後方用のマイクロホン２Ｒが、カメラ一体型ビデオテープレコーダ１を中心にして水平方向に、一方のマイクロホン２Ｓを１８０度回転させた関係となることにより、これら後方用のマイクロホン２Ｒと一方のマイクロホン２Ｓとでは、右チャンネル用のマイクロホンと左チャンネル用のマイクロホンとが入れ換わってしまう。これにより２本のマイクロホン２Ｆ及び２Ｒにより前方及び後方によるサラウンド録音を実行する場合、後方のマイクロホン２Ｒにおいて右チャンネルと左チャンネルとを入れ換えなければ、臨場感の高い音場を正しく作成できなくなる問題がある。ちなみに前方及び後方のサラウンド方式による一体型のマイクロホン２では、前方のみのサラウンド方式に対応するように、後方側のマイクロホンＲＲ、ＲＬに係る内部接続が入れ換えられている。
【００１１】
この問題を解決する１つの方法として、後方２チャンネルの音声入力端子に接続されるマイクロホン２Ｒについては、上下を反転させることにより、右チャンネルと左チャンネルとを入れ換えることが可能になるが、マイクロホンによっては、上下を反転させると、各種の特性が変化するものもあり、さらには反転させた場合には、保持できないものもある。
【特許文献１】実開平５−１１６５０号公報
【発明の開示】
【発明が解決しようとする課題】
【００１２】
本発明は以上の点を考慮してなされたもので、ステレオ方式によるマイクロホンを複数本用いてサラウンド方式により録音する場合にあっても、臨場感の高い音場を正しく作成することができる音声信号処理装置及び音声信号処理方法を提案しようとするものである。
【課題を解決するための手段】
【００１３】
かかる課題を解決するため請求項１の発明は、音声信号処理装置に適用して、ステレオ方式による音声信号をそれぞれ入力する複数の音声信号入力端子と、前記複数の音声信号入力端子より入力される音声信号について、右チャンネルと左チャンネルとの設定を検出する設定検出手段と、前記複数の音声信号入力端子より入力される音声信号を信号処理する信号処理手段とを有し、前記信号処理手段は、前記検出手段の検出結果に基づいて、前記複数の音声信号入力端子の少なくとも１つより入力される音声信号の右チャンネルと左チャンネルとを入れ換えて信号処理するようにする。
【００１４】
また請求項４の発明は、ステレオ方式による音声信号を複数の音声信号入力端子よりそれぞれ入力して信号処理する音声信号処理方法に適用して、前記複数の音声信号入力端子より入力される音声信号について、右チャンネルと左チャンネルとの設定を検出し、該検出結果に基づいて、前記複数の音声信号入力端子の少なくとも１つより入力される音声信号の右チャンネルと左チャンネルとを入れ換えて信号処理するようにする。
【００１５】
請求項１の構成により、音声信号処理装置に適用して、ステレオ方式による音声信号をそれぞれ入力する複数の音声信号入力端子と、前記複数の音声信号入力端子より入力される音声信号について、右チャンネルと左チャンネルとの設定を検出する設定検出手段と、前記複数の音声信号入力端子より入力される音声信号を信号処理する信号処理手段とを有し、前記信号処理手段は、前記検出手段の検出結果に基づいて、前記複数の音声信号入力端子の少なくとも１つより入力される音声信号の右チャンネルと左チャンネルとを入れ換えて信号処理すれば、音声信号入力端子より入力される音声信号の右チャンネル、左チャンネルの設定に対応するように、音声信号の右チャンネルと左チャンネルとを入れ換えて信号処理することができ、これにより１つのマイクロホンを前方用と後方用とで使い分ける場合にあっても、右チャンネル、左チャンネルの入力を正しく設定して処理することができる。これによりステレオ方式によるマイクロホンを複数本用いてサラウンド方式により録音する場合にあっても、臨場感の高い音場を正しく作成することができる。
【００１６】
これにより請求項４の構成によれば、ステレオ方式によるマイクロホンを複数本用いてサラウンド方式により録音する場合にあっても、臨場感の高い音場を正しく作成することができる音声信号処理方法を提供することができる。
【発明の効果】
【００１７】
本発明によれば、２本のステレオ方式によるマイクロホンを用いてサラウンド方式により録音する場合にあっても、臨場感の高い音場を正しく作成することができる。
【発明を実施するための最良の形態】
【００１８】
以下、適宜図面を参照しながら本発明の実施例を詳述する。
【実施例１】
【００１９】
（１）実施例の構成
図２は、本発明の実施例１に係る編集システムを示すブロック図である。この編集システム１１では、カメラ一体型ビデオテープレコーダ１２で撮影した各種撮像結果をコンピュータ１３により編集して光ディスクに記録する。
【００２０】
すなわちこの編集システム１１において、カメラ一体型ビデオテープレコーダ１２は、ユーザーの操作に応じて音声信号、撮像結果による映像信号を取得して磁気テープに記録し、またこの磁気テープに記録された音声信号ＳＡ、映像信号ＳＶを再生してコンピュータ１３に出力する。コンピュータ１３は、ユーザーによる操作に応じてこのカメラ一体型ビデオテープレコーダ１２から出力される音声信号ＳＡ、映像信号ＳＶを記録して保持し、ユーザーによる操作に応じてこの記録した音声信号ＳＡ、映像信号ＳＶを編集処理して光ディスクに記録する。
【００２１】
ここで図３は、カメラ一体型ビデオテープレコーダ１２を示すブロック図である。カメラ一体型ビデオテープレコーダ１２において、撮像部１５は、コントローラ１６による制御により撮像結果を取得し、この撮像結果による映像信号ＳＶを出力する。音声入力部１７は、同様に、コントローラ１６による制御により音声信号ＳＡを取得して処理する。エンコーダ１８は、これら撮像部１５及び音声入力部１７より得られる映像信号ＳＶ、音声信号ＳＡを例えばＭＰＥＧ（Moving Picture Experts Group）によりデータ圧縮して符号化データを生成する。
【００２２】
記録再生部１９は、コントローラ１６の制御により動作を切り換え、記録時、このエンコーダ１８で生成される符号化データにより磁気ヘッド２０を駆動し、これにより磁気テープ２１に順次記録トラックを形成して音声信号ＳＡ、映像信号ＳＶを記録する。この処理において、記録再生部１９は、コントローラ１６から出力される各種の情報を併せて磁気テープ２１に記録する。また記録再生部１９は、再生時、このようにして記録した符号化データを磁気テープ２１から再生してデコーダ２２に出力し、また記録時に併せて記録した各種の情報を再生してコントローラ１６に出力する。
【００２３】
ここで図４は、この磁気テープ２１における記録フォーマットを示す略線図である。このカメラ一体型ビデオテープレコーダ１２では、１６トラックをインターリーブの処理単位（ＥＣＣ）に設定して、ピクチャー単位で、ビデオデータ（Ｉ、Ｐ、Ｂ）、音声データ（Ａ）を記録し、また３ピクチャー毎に、ビデオデータの補助データ（Ｕ）及び音声データの補助データ（Ｘ）が記録される。
【００２４】
記録再生部１９は、この記録フォーマットに対応するように、エンコーダ１８から出力される映像信号ＳＶ、音声信号ＳＡによる符号化データにより、またコントローラ１６から出力される各種のデータにより、磁気ヘッド２０を駆動してこれらのデータを磁気テープ２１に記録する。
【００２５】
これに対してデコーダ２２は、記録再生部１９から出力される符号化データをデータ伸長して元の映像信号ＳＶ、音声信号ＳＡを再生する。モニタ部２３は、このデコーダ２２で再生される映像信号ＳＶにより、又は撮像部１５から得られる映像信号ＳＶにより液晶表示パネルを駆動し、これにより撮像結果、再生結果を表示する。また音声入力部１７から出力される音声信号ＳＡ、又はデコーダ２２で再生される音声信号ＳＡにより、このカメラ一体型ビデオテープレコーダ１２のイヤフォンジャックに接続されたイヤフォンを駆動し、これにより音声信号ＳＡをモニタ可能とする。
【００２６】
出力部２４は、例えばＩＥＥＥ (The Institute of Electrical and Electoronics Engineers,Inc.)  １３９４等のインターフェースであり、デコーダ２２で再生される映像信号ＳＶ、音声信号ＳＡ、又は撮像部１５、音声入力部１７から得られる映像信号ＳＶ、音声信号ＳＡを、コントローラ１６から出力される各種の情報と共に外部機器に出力する。しかしてこの実施例では、この外部機器が、上述したコンピュータ１３に設定される。
【００２７】
操作部２５は、このカメラ一体型ビデオテープレコーダ１２の各部に設けられた操作子、モニタ部２３に設けられたタッチパネル等により形成され、ユーザーによる各種の操作をコントローラ１６に通知する。コントローラ１６は、このカメラ一体型ビデオテープレコーダ１２の動作を制御するコンピュータであり、所定の処理手順の実行により操作部２５の操作に応じて各部の動作を制御する。
【００２８】
図１は、このカメラ一体型ビデオテープレコーダ１２の音声入力部１７の構成を示すブロック図である。この音声入力部１７において、内蔵マイクロホン（内蔵マイク）３１は、例えばこのカメラ一体型ビデオテープレコーダ１２の正面に配置され、右チャンネル及び左チャンネルの音声信号ＦＲＩ及びＦＬＩを出力する。
【００２９】
オーディオジャック３２Ｆ及び３２Ｒは、図１３について上述したサラウンド方式に係る一体型のマイクロホン２が接続されるオーディオ入力端子であり、それぞれ前方及び後方（メイン及びサブ）に係る２チャンネルの音声信号が入力される。オーディオジャック３２Ｆ及び３２Ｒは、マイクロホンのプラグが接続されると、内部に設けられたスイッチ回路の接点がオフ状態に切り換わり、これによりマイクロホンの接続を検出する接続信号Ｓ１及びＳ２をそれぞれコントローラ１６に通知する。
【００３０】
音声合成切換部３３は、内蔵マイクロホン３１から出力される音声信号ＦＲＩ及びＦＬＩと、前方用のオーディオジャック３２Ｆから入力される音声信号ＦＲ及びＦＬを入力し、コントローラ１６の制御により、何れかの音声信号を選択的に出力し、又はこれらの音声信号を合成して出力する。これによりこのカメラ一体型ビデオテープレコーダ１２では、内蔵マイクロホン３１と、オーディオジャック３２Ｆに接続された外部マイクロホンとを選択的に使用して音声信号を磁気テープ２１に記録し、又はこれらによる音声信号を合成して磁気テープ２１に記録できるように作成される。
【００３１】
音声切換部３４は、後方用のオーディオジャック３２Ｒから入力される音声信号ＲＲ及びＲＬを入力し、コントローラ１６の制御により、この入力した音声信号ＲＲ及びＲＬをそのまま出力し、また右チャンネルと左チャンネルとを入れ換えて出力する。これによりこのカメラ一体型ビデオテープレコーダ１２では、ステレオ方式による２本のマイクロホン３５Ｆ、３５Ｒをオーディオジャック３２Ｆ、３２Ｒにそれぞれ接続して、前方及び後方によるサラウンド方式により音声信号を録音する場合でも、正しい極性により音声信号を記録して臨場感の高い音場を正しく作成することができるように作成される。
【００３２】
音声処理部３６は、音声合成切換部３３、音声切換部３４から出力される音声信号の信号レベルを補正してエンコーダ１８、モニタ部２３に出力する。
【００３３】
コントローラ１６は、オーディオジャック３２Ｆ、３２Ｒから出力される接続信号Ｓ１及びＳ２によりそれぞれオーディオジャック３２Ｆ、３２Ｒへの外部マイクロホンの接続を検出し、この検出結果により所定の処理手順を実行することにより、音声合成切換部３３、音声切換部３４等の動作を制御する。
【００３４】
すなわちコントローラ１６は、前方側のオーディオジャック３２Ｆについてだけ外部マイクロホンの接続が検出されると、図５の処理手順を開始してステップＳＰ１からステップＳＰ２に移る。ここでコントローラ１６は、操作部２５に設けられた音声入力スイッチの設定を検出し、ユーザーによる音声入力の選択を検出する。ここでユーザーが外部マイクロホンを選択するように音声入力スイッチを設定している場合、コントローラ１６は、ステップＳＰ２からステップＳＰ３に移り、オーディオジャック３２Ｆから入力される外部マイクロホンの音声信号ＦＬ、ＦＲを選択的に音声処理部３６に入力するように、音声合成切換部３３の動作を設定した後、ステップＳＰ２に戻る。
【００３５】
これに対してユーザーが内蔵マイクロホン３１を選択するように音声入力スイッチを設定している場合、コントローラ１６は、ステップＳＰ２からステップＳＰ４に移り、内蔵マイクロホン３１から出力される音声信号ＦＬＩ、ＦＲＩを選択的に音声処理部３６に入力するように、音声合成切換部３３の動作を設定した後、ステップＳＰ２に戻る。
【００３６】
これによりこの実施例では、外部マイクロホンを接続した場合でも、内蔵マイクロホンと外部マイクロホンとを必要に応じて切り換えて音声信号を取得することができ、これにより従来に比して使い勝手を向上することができる。具体的に、このようにマイクロホンを切り換えるようにすれば、カメラマン自身がインタビュアーの場合に、インタビュー対象の音声とインタビュアーの音声とを交互に記録することができ、その分、後処理に係る編集処理等を簡略化することができる。
【００３７】
これに対してユーザーが音声合成を選択するように音声入力スイッチを設定している場合、コントローラ１６は、ステップＳＰ２からステップＳＰ５に移り、オーディオジャック３２Ｆから入力される外部マイクロホンの音声信号ＦＬ、ＦＲと、内蔵マイクロホン３１から出力される音声信号ＦＬＩ、ＦＲＩとをミキシングして音声処理部３６に入力するように、音声合成切換部３３の動作を設定した後、ステップＳＰ２に戻る。
【００３８】
これによりこの場合、例えばバックグラウンドの音声とインタビュー対象の音声とを合成して記録することができ、その分、後処理に係る編集処理等を簡略化して使い勝手を向上することができる。
【００３９】
これに対して前方側のオーディオジャック３２Ｆと後方のオーディオジャック３２Ｒとで外部マイクロホンの接続が検出されると、コントローラ１６は、図６に示す処理手順を開始し、ステップＳＰ１１からステップＳＰ１２に移る。ここでコントローラ１６は、操作部２５に設けられたサラウンド録音に係る方式設定スイッチの設定を検出し、ユーザーによりサラウンド録音の選択を検出する。ここでこの実施例において、この方式設定スイッチは、例えばスライドスイッチにより形成され、ステレオ方式による２本のマイクロホンを用いた前方のみによるサラウンド方式（図１２参照）、ステレオ方式による２本のマイクロホンを用いた前方及び後方によるサラウンド方式（図１４参照）、一体型のマイクロホンを用いた前方及び後方によるサラウンド方式（図１３参照）を選択できるように形成される。これによりこの実施例において、この方式設定スイッチは、サブマイクロホン用のオーディオジャック３２Ｒから入力される音声信号について、右チャンネルと左チャンネルとの設定を検出する設定検出手段を構成すると共に、複数のオーディオジャック３２Ｆ、３２Ｒより入力される音声信号によるサラウンド方式を検出する方式検出手段を構成する。
【００４０】
コントローラ１６は、この方式設定スイッチの検出結果によりユーザーによるサラウンド録音がステレオ方式による２本のマイクロホンを用いた前方及び後方によるサラウンド方式によるものか否か判断する。ここで肯定結果が得られると、コントローラ１６は、ステップＳＰ１２からステップＳＰ１３に移り、音声切換部３４に右チャンネル及び左チャンネルの切り換え出力を指示した後、ステップＳＰ１４に移る。これに対してステップＳＰ１２で否定結果が得られると、コントローラ１６は、このような極性の切り換えを指示することなく、直接、ステップＳＰ１２からステップＳＰ１４に移る。
【００４１】
これによりこの実施例では、図１２〜図１４について上述した種々の形態によりサラウンド録音する場合でも、臨場感の高い音場を正しく作成することができるように構成される。
【００４２】
続くステップＳＰ１４において、コントローラ１６は、方式設定スイッチの設定よりユーザーによるサラウンド録音が、前方及び後方によるサラウンド方式か否か判断する。ここで肯定結果が得られると、コントローラ１６は、ステップＳＰ１４からステップＳＰ１５に移り、オーディオデータの補助データとして磁気テープ２１に記録する４チャンネルオーディオ信号の識別コードを、前方及び後方によるサラウンド方式による識別コードに設定する。また図７に示すように外部マイクロホン３５Ｆ、３５Ｒからの音声入力を各チャンネル毎にそれぞれエンコードするように音声処理部３６の動作を設定した後、ステップＳＰ１６に移ってこの処理手順を終了する。
【００４３】
これに対してステップＳＰ１４で否定結果が得られると、コントローラ１６は、この場合、ステップＳＰ１４からステップＳＰ１７に移り、オーディオデータの補助データとして磁気テープ２１に記録する４チャンネルオーディオ信号の識別コードを、前方のみによるサラウンド方式による識別コードに設定する。また音声入力スイッチの設定により、前方及び後方に係る一体型のマイクロホン（図１３）によるサラウンド記録にあっては、図７について上述したと同様に各オーディオジャック３２Ｆ、３２Ｒから入力される音声信号をそれぞれエンコードするように音声処理部３６の動作を設定した後、ステップＳＰ１６に移る。これに対して、２本のステレオマイクにより前方及び後方によるサラウンド録音を実行する場合、図８に示すように、後方側については後方側オーディオジャック３２Ｆ、３２Ｒから入力される音声信号をそのままエンコードするように、前方側については、前方側及び後方側のオーディオジャック３２Ｆ、３２Ｒから入力される音声信号を加算してエンコードするように音声処理部３６の動作を設定した後、ステップＳＰ１６に移ってこの処理手順を終了する。
【００４４】
これらによりこのカメラ一体型ビデオテープレコーダ１２では、この識別コードが音声データの補助データとして磁気テープ２１に記録され、また磁気テープ２１に記録されたこの識別コードが映像信号、音声信号と共に再生されてコンピュータ１３に出力される。これによりこの実施例では、コンピュータ１３により磁気テープ２１に記録した音声信号を信号処理して５．１チャンネルのサラウンド方式により光ディスクに記録する場合に、正しく音声信号を処理して臨場感の高い音場を形成できるように構成される。
【００４５】
すなわち図９は、コンピュータ１３を示すブロック図である。このコンピュータ１３において、光ディスクドライブ４１は、中央処理ユニット（ＣＰＵ）４２の制御によりバスＢＵＳに出力されるデータをＤＶＤによる光ディスクに記録し、またこの光ディスクに記録されたデータを再生してバスＢＵＳに出力する。インターフェース４３は、ＩＥＥＥ．１３９４等のインターフェースであり、カメラ一体型ビデオテープレコーダ１２から出力される映像信号ＳＶ、音声信号ＳＡ、各種の関連する情報を取得してバスＢＵＳに出力する。
【００４６】
モニタ部４４は、このコンピュータ１３の処理に係る各種の画像を表示し、さらには各種音声等を再生して出力する。ハードディスク装置（ＨＤＤ）４５は、このコンピュータ１３の処理に供するアプリケーションプログラム、インターフェース４３を介して入力される映像信号ＳＶ、音声信号ＳＡ等を記録し、またこれらの記録を再生して出力する。
【００４７】
中央処理ユニット４２は、リードオンリメモリ（ＲＯＭ）４６の記録に従ってランダムアクセスメモリ（ＲＡＭ）４７にワークエリアを確保して起動した後、ユーザーによる操作に従ってハードディスク装置４５に記録された各種アプリケーションプログラムを実行する。
【００４８】
この処理において、中央処理ユニット４２は、ユーザーにより動画ファイルの処理に係るアプリケーションプログラムが立ち上げられると、ユーザーの操作に応じてインターフェース４３、ハードディスク装置４５の動作を制御することにより、カメラ一体型ビデオテープレコーダ１２で再生される映像信号ＳＶ、音声信号ＳＡを関連する情報と共に取り込んでハードディスク装置４５に記録する。またこのときこれら映像信号ＳＶ、音声信号ＳＡをモニタ部４４によりモニタ可能に設定する。なおこの実施例において、この動画ファイルの処理に係るアプリケーションプログラムは、このコンピュータ１３に事前にインストールされて提供されるものの、このような事前のインストールによる提供に代えて、インターネット等のネットワークを介したダウンロードにより提供するようにしてもよく、光ディスク、磁気ディスク、メモリカード等の各種記録媒体を介したダウンロードにより提供するようにしてもよい。
【００４９】
さらに中央処理ユニット４２は、このようにしてハードディスク装置４５に記録した映像信号ＳＶ、音声信号ＳＡの編集が指示されると、ノンリニア編集による編集点の設定を受け付け、必要に応じてエフェクトに係る映像信号等を生成する。
【００５０】
またこのようにして編集処理して、編集処理結果のＤＶＤへの記録が指示されると、編集処理結果による映像信号ＳＶ、音声信号ＳＡをハードディスク装置４５から光ディスクドライブ４１に転送し、光ディスクにこれら映像信号ＳＶ、音声信号ＳＡを記録する。
【００５１】
このとき中央処理ユニット４２は、ユーザーにより５．１チャンネルのサラウンド方式による音声信号ＳＡの記録が指示されると、ハードディスク装置４５から出力される音声信号を演算処理することにより、カメラ一体型ビデオテープレコーダ１２から入力された４チャンネルの音声信号ＳＡを５．１チャンネルのサラウンド方式による音声信号に変換し、この５．１チャンネルの音声信号を光ディスクドライブ４１により光ディスクに記録する。
【００５２】
このとき中央処理ユニット４２は、音声信号ＳＡに付随するデータとして磁気テープ２１より再生されるサラウンド方式に係る識別コードにより、演算処理を切り換えて５．１チャンネルの音声信号を生成し、これにより正しく音声信号を処理して臨場感の高い音場を再生できるようにする。
【００５３】
（２）実施例の動作
以上の構成において、この編集システム１１では（図２）、カメラ一体型ビデオテープレコーダ１２を携帯して各種のシーンを記録し、またこの記録した各種のシーンをカメラ一体型ビデオテープレコーダ１２により再生してコンピュータ１３に入力し、編集処理して光ディスクに記録する。
【００５４】
これらの処理において、カメラ一体型ビデオテープレコーダ１２では（図３）、撮像部１５で取得される映像信号ＳＶと音声入力部１７で取得される音声信号ＳＡとがエンコーダ１８によりデータ圧縮されて符号化データが生成され、この符号化データが記録再生部１９により磁気テープ２１に記録される。またこのようにして記録された映像信号ＳＶ及び音声信号ＳＡは、記録再生部１９により符号化データが再生され、この符号化データがデコーダ２２によりデータ伸長されて再生され、出力部２４を介してコンピュータ１３に出力される。
【００５５】
このようにして映像信号ＳＶと共に磁気テープ２１に記録される音声信号ＳＡは（図１）、外部マイクロホン３５Ｆ、３５Ｒをオーディオジャック３２Ｆ、３２Ｒに接続していない場合には、内蔵マイクロホン３１により取得され、この内蔵マイクロホン３１によるステレオ方式による音声信号が磁気テープ２１に記録される。
【００５６】
これに対して前方用のオーディオジャック３２Ｆに外部マイクロホン３５Ｆを接続すると、この外部マイクロホン３５Ｆの接続がオーディオジャック３２Ｆを介してコントローラ１６で検出される。またこの検出により、操作部２５に設けられた音声入力スイッチの設定がコントローラ１６により検出される。
【００５７】
これによりユーザーがこのように外部マイクロホン３５Ｆを接続した状態で、内蔵マイクロホン３１による音声信号の記録を指示している場合には、内蔵マイクロホン３１による音声信号が選択的に音声合成切換部３３、音声処理部３６を介してエンコーダ１８に入力され、これにより内蔵マイクロホン３１による音声信号が磁気テープ２１に記録される。これに対してユーザーが外部マイクロホン３５Ｆによる記録を指示している場合、オーディオジャック３２Ｆを介して入力される外部マイクロホン３５Ｆによる音声信号が選択的に音声合成切換部３３、音声処理部３６を介してエンコーダ１８に入力され、これにより外部マイクロホン３５Ｆによる音声信号が磁気テープ２１に記録される。またユーザーが音声合成による記録を指示している場合には、内蔵マイクロホン３１による音声信号と、オーディオジャック３２Ｆを介して入力される外部マイクロホン３５Ｆによる音声信号とが、音声合成切換部３３により音声合成された後、音声処理部３６を介してエンコーダ１８に入力され、これにより内蔵マイクロホン３１による音声信号と外部マイクロホン３５Ｆによる音声信号とが合成されて磁気テープ２１に記録される。
【００５８】
これらによりこのカメラ一体型ビデオテープレコーダ１２では、必要に応じて内蔵マイクロホン３１と外部マイクロホン３５Ｆとを選択して、さらには同時に使用して音声信号を記録することができ、その分、使い勝手を向上することができる。
【００５９】
これに対して前方用のオーディオジャック３２Ｆ及び後方用のオーディオジャック３２Ｒに外部マイクロホン３５Ｆ及び３５Ｒを接続すると、これら外部マイクロホン３５Ｆ及び３５Ｒの接続がオーディオジャック３２Ｆ及び３２Ｒを介してコントローラ１６で検出される。またこの検出により、操作部２５に設けられたサラウンド方式に係る方式設定スイッチの設定がコントローラ１６により検出される。
【００６０】
これによりユーザーが前方及び後方によるサラウンド方式の一体型マイクロホン２（図１３）をこれらオーディオジャック３２Ｆ及び３２Ｒに接続した場合には、これらオーディオジャック３２Ｆ及び３２Ｒから得られる４チャンネルによる音声信号がそのままエンコーダ１８により処理されて磁気テープ２１に記録される。またステレオ方式による２本のマイクロホンを用いて前方のみによるサラウンド方式の録音を試みる場合（図１２）、これらオーディオジャック３２Ｆ及び３２Ｒから得られる４チャンネルによる音声信号が所定の信号処理を経た後（図８）、エンコーダ１８により処理されて磁気テープ２１に記録される。これに対してこのような２本のマイクロホンの一方を後方に向けて、ステレオ方式による２本のマイクロホンを用いて前方及び後方によるサラウンド方式の録音を試みる場合（図１４）、音声切換部３４により後方に割り当てられた音声信号の右チャンネル及び左チャンネルが入れ換えられて、オーディオジャック３２Ｆ及び３２Ｒから得られる４チャンネルによる音声信号が磁気テープ２１に記録される（図９）。
【００６１】
これによりこの実施例では、ステレオ方式によるマイクロホンを複数本用いてサラウンド方式により録音する場合にあっても、右チャンネル及び左チャンネルを正しく設定して音声信号を記録することができ、これにより臨場感の高い音場を正しく作成することができる。
【００６２】
このようにして４チャンネルにより音声信号を記録する場合、このカメラ一体型ビデオテープレコーダ１２では、音声データに付随する情報（Ｘ）の１つに（図４）、前方のみによるサラウンド方式と、前方及び後方によるサラウンド方式との識別コードが設定されて磁気テープ２１に記録され、これによりこのようにして記録した音声データを処理する場合に、正しく音声信号間の位相を設定することができ、これによっても臨場感の高い音場を正しく作成することができる。
【００６３】
すなわちカメラ一体型ビデオテープレコーダ１２で再生される映像信号ＳＶ及び音声信号ＳＡは（図７）、インターフェース４３を介してコンピュータ１３に入力され、ハードディスク装置４５に記録される。またこのハードディスク装置４５に記録された映像信号ＳＶ及び音声信号ＳＡがユーザーによる指示に従って編集処理された後、光ディスクドライブ４１により光ディスクに記録される。
【００６４】
このときコンピュータ１３では、演算処理により、カメラ一体型ビデオテープレコーダ１２から得られる４チャンネルによる音声信号ＳＡが５．１チャンネルのサラウンド方式による音声信号に変換されて光ディスクに記録され、磁気テープ２１に記録された識別コードに基づいて、この演算処理が、前方のみによるサラウンド方式と、前方及び後方によるサラウンド方式とで切り換えられる。
【００６５】
これによりこの実施例では、前方のみによるサラウンド方式と、前方及び後方によるサラウンド方式とで記録された音声信号を正しく演算処理して５．１チャンネルの音声信号に変換処理することができ、その分、高い臨場感により音場を形成することができる。
【００６６】
（３）実施例の効果
以上の構成によれば、複数の音声信号入力端子より入力される音声信号のチャンネルの設定を検出し、この検出結果により右チャンネルと左チャンネルとを入れ換えて信号処理することにより、ステレオ方式によるマイクロホンを複数本用いてサラウンド方式により録音する場合にあっても、臨場感の高い音場を正しく作成することができる。
【００６７】
また複数の音声信号入力端子より入力される音声信号によるサラウンド方式を検出し、この検出したサラウンド方式を音声信号と共に記録媒体に記録することにより、このように複数の音声信号入力端子より入力される音声信号の処理を適切に実行して、高い臨場感により音場を形成することができる。
【実施例２】
【００６８】
この実施例２では、音声信号を５．１チャンネルにより光ディスクに記録するカメラ一体型ビデオレコーダに本発明を適用する。すなわち図１０は、この実施例２に係るカメラ一体型ビデオレコーダ５１を示すブロック図である。このカメラ一体型ビデオレコーダ５１において、図３について上述したカメラ一体型ビデオテープレコーダ１２と同一の構成は、対応する符号を付して示し、重複した説明は省略する。
【００６９】
このカメラ一体型ビデオレコーダ５１において、音声入力部５２は、音声信号を取得して２チャンネルにより、又は５．１チャンネルにより出力し、記録再生部５３は、コントローラ５５の制御により、この音声入力部５２より得られる音声信号ＳＡと撮像部１５より得られる映像信号ＳＶとの符号化データを光ディスク５４に記録する。また記録再生部５３は、この光ディスク５４に記録した符号化データを再生してデコーダ２２に出力する。これらによりこのカメラ一体型ビデオレコーダ５１では、コントローラ５５の制御によりユーザーの操作に応じて音声信号を５．１チャンネルにより撮像結果と共に光ディスクに記録し、またこの記録した音声信号、撮像結果を再生して出力する。
【００７０】
図１１は、この音声入力部５２の構成を示すブロック図である。この図１１に示す構成において、図１について上述した音声入力部１７と同一の構成は、対応する符号を付して示し、重複した説明は省略する。これによりこの実施例においても、音声入力部５２は、音声入力スイッチの設定に従って、オーディオジャック３２Ｆを介して入力される音声信号と、内蔵マイクロホン３１による音声信号とを選択的に出力し、又は合成して出力する。
【００７１】
これに対してオーディオジャック３２Ｆ及び３２Ｒにマイクロホンが接続された場合、この音声入力部５２は、コントローラ５５の制御により、音声処理部５６でこれらオーディオジャック３２Ｆ及び３２Ｒを介して入力される４チャンネルの音声信号を５．１チャンネルの音声信号に変換して出力する。この処理において、オーディオジャック３２Ｆ及び３２Ｒを介して入力される４チャンネルの音声信号のサラウンド方式、右チャンネルが左チャンネルの設定に応じて、演算処理を切り換えて５．１チャンネルの音声信号を生成する。これにより実施例１について上述した右チャンネル及び左チャンネルの入れ換えと、前方及び後方によるサラウンド方式と前方のみによるサラウンド方式との間の演算処理の切り換えとを、音声処理部５６における演算処理の切り換えにより実行し、これにより高い臨場感により正しく音場を形成する。
【００７２】
この実施例のように、複数の音声信号入力端子より入力される音声信号のチャンネルの設定を検出し、この検出結果により右チャンネルと左チャンネルとを入れ換えて信号処理するようにして、この音声信号の演算処理の切り換えにより音声信号の右チャンネルと左チャンネルとを入れ換えるようにしても、実施例１と同様の効果を得ることができる。
【実施例３】
【００７３】
なお上述の実施例においては、スライドスイッチによる方式設定スイッチにより設定検出手段、方式検出手段を形成し、この方式設定スイッチのユーザーによる操作により右チャンネルと左チャンネルとの設定、サラウンド方式を検出する場合について述べたが、本発明はこれに限らず、この方式設定スイッチを押圧操作子等により形成してもよく、さらにはモニタ部によりメニューを表示してタッチパネルの操作によりこれら右チャンネルと左チャンネルとの設定、サラウンド方式を検出するようにしてもよい。
【００７４】
また上述の実施例においては、ステレオ方式による２本のマイクロホンによる音声入力を処理する場合について述べたが、本発明はこれに限らず、ステレオ方式による複数本のマイクロホンによる音声入力を処理する場合に広く適用することができる。
【００７５】
また上述の実施例においては、５．１チャンネルにより音声信号を処理する場合について述べたが、本発明はこれに限らず、例えば６．１チャンネルにより音声信号を処理する場合等にも広く適用することができる。
【００７６】
また上述の実施例においては、撮像結果と共に音声信号を磁気テープ、光ディスクに記録する場合について述べたが、本発明はこれに限らず、例えばメモリカード等、記録に供する記録媒体にあっては種々の記録媒体を広く適用することができる。
【産業上の利用可能性】
【００７７】
本発明は、音声信号処理装置及び音声信号処理方法に関し、例えばカメラ一体型ビデオテープレコーダに適用することができる。
【図面の簡単な説明】
【００７８】
【図１】本発明の実施例１に係る編集システムに適用されるカメラ一体型ビデオテープレコーダの音声入力部を示すブロック図である。
【図２】本発明の実施例１に係る編集システムを示すブロック図である。
【図３】図２の編集システムに適用されるカメラ一体型ビデオテープレコーダを示すブロック図である。
【図４】図３のカメラ一体型ビデオテープレコーダにおける記録フォーマットを示す略線図である。
【図５】図１の音声入力部に係るコントローラの処理手順を示すフローチャートである。
【図６】図１の音声入力部のサラウンド方式に係るコントローラの処理手順を示すフローチャートである。
【図７】図１の音声信号の動作の説明に供するブロック図である。
【図８】図１の音声処理部の前方のみによるサラウンド録音時の動作の説明に供するブロック図である。
【図９】図２の編集システムに適用されるコンピュータを示すブロック図である。
【図１０】本発明の実施例２に係るカメラ一体型ビデオレコーダを示すブロック図である。
【図１１】図８のカメラ一体型ビデオレコーダの音声入力部を示すブロック図である。
【図１２】ステレオ方式のマイクロホンを用いた前方及び後方によるサラウンド方式の説明に供する略線図である。
【図１３】一本のマイクロホンを用いた前方及び後方によるサラウンド方式の説明に供する略線図である。
【図１４】ステレオ方式のマイクロホンを用いた前方のみによるサラウンド方式の説明に供する略線図である。
【符号の説明】
【００７９】
１、１２……カメラ一体型ビデオテープレコーダ、２、２Ｆ、２Ｍ、２Ｒ、２Ｓ、３１、３５Ｆ、３５Ｒ……マイクロホン、１１……編集システム、１３……コンピュータ、１７、５２……音声入力部、１６、５５……コントローラ、４１……光ディスクドライブ、４２……中央処理ユニット、５１……カメラ一体型ビデオレコーダ
【図１】
2006287824.tif 000003
【図２】
2006287824.tif 000004
【図３】
2006287824.tif 000005
【図４】
2006287824.tif 000006
【図５】
2006287824.tif 000007
【図６】
2006287824.tif 000008
【図７】
2006287824.tif 000009
【図８】
2006287824.tif 000010
【図９】
2006287824.tif 000011
【図１０】
2006287824.tif 000012
【図１１】
2006287824.tif 000013
【図１２】
2006287824.tif 000014
【図１３】
2006287824.tif 000015
【図１４】
2006287824.tif 000016